(57)【要約】【課題】一時的に低下した電源電圧を昇圧する昇圧装置のスイッチングＩＣを、ＥＣＵのマイクロコンピュータに肩代わりさせて、昇圧した電圧を所定の範囲内に収めることができる昇圧装置の提供。【解決手段】判定回路７が、自身に与えられるべき直流電圧が電圧Ｖ１より低いと判定したときに、電圧Ｖ３（＜Ｖ１）を電圧Ｖ４（＜Ｖ２）に昇圧する為の第１デューティ比で昇圧チョッパ回路１９をＰＷＭ制御し、このＰＷＭ制御している状態で、判定回路７が低くないと判定したときに、電圧Ｖ１を電圧Ｖ４に昇圧する為の第２デューティ比で昇圧チョッパ回路１９をＰＷＭ制御する手段１２（９）と、自身に与えられるべき直流電圧を所定周期毎に検出する検出手段１３とを備え、検出手段１３が検出した電圧に応じたデューティ比で昇圧チョッパ回路１９をＰＷＭ制御する構成である。【選択図】図５
2012090377.tif 000002
【特許請求の範囲】
【請求項１】
昇圧チョッパ回路と、自身に与えられるべき直流電圧が電圧Ｖ１より低いか否かを判定する判定回路とを備え、該判定回路が低いと判定したときに、前記直流電圧を電圧Ｖ２（＞Ｖ１）に昇圧する為のデューティ比により前記昇圧チョッパ回路をＰＷＭ制御して前記直流電圧を昇圧するように構成してある昇圧装置において、
前記判定回路が低いと判定したときに、電圧Ｖ３（＜Ｖ１）を電圧Ｖ４（＜Ｖ２）に昇圧する為の第１デューティ比により前記昇圧チョッパ回路をＰＷＭ制御し、該ＰＷＭ制御している状態で、前記判定回路が低くないと判定したときに、前記電圧Ｖ１を電圧Ｖ４に昇圧する為の第２デューティ比により前記昇圧チョッパ回路をＰＷＭ制御する手段と、前記自身に与えられるべき直流電圧を所定周期毎に検出する検出手段と、該検出手段が検出した電圧に応じたデューティ比により前記昇圧チョッパ回路をＰＷＭ制御する手段とを備えることを特徴とする昇圧装置（但し、Ｖ３＜Ｖ１＜Ｖ４＜Ｖ２）。
【請求項２】
前記検出手段が検出した電圧が前記電圧Ｖ１より低い場合は、前記第１デューティ比により前記昇圧チョッパ回路をＰＷＭ制御し、前記電圧が電圧Ｖ４より低く電圧Ｖ１以上である場合は、前記電圧を電圧Ｖ２に昇圧する為のデューティ比を算出し、算出したデューティ比が前記第２デューティ比より小さいか否かを判定し、小さいと判定したときは、前記第２デューティ比により前記昇圧チョッパ回路をＰＷＭ制御し、小さくないと判定したときは、前記算出したデューティ比により前記昇圧チョッパ回路をＰＷＭ制御するように構成してある請求項１記載の昇圧装置。
【請求項３】
前記自身に与えられるべき直流電圧が前記電圧Ｖ４より高いか否かを判定する第２判定回路を更に備え、前記昇圧チョッパ回路をＰＷＭ制御している場合に、前記第２判定回路が高いと判定したときは、前記昇圧チョッパ回路のＰＷＭ制御を停止する手段を更に備える請求項１又は２記載の昇圧装置。
【請求項４】
作成した信号、又は外部から与えられた信号により、自身に与えられるべき前記直流電圧を遮断する遮断回路を更に備える請求項１乃至３の何れか１項に記載の昇圧装置。
【請求項５】
昇圧チョッパ回路、及び自身に与えられるべき直流電圧が電圧Ｖ１より低いか否かを判定する判定回路を有し、該判定回路が低いと判定したときに、前記直流電圧を電圧Ｖ２（＞Ｖ１）に昇圧する為のデューティ比により前記昇圧チョッパ回路をＰＷＭ制御して前記直流電圧を昇圧する昇圧装置と、外部機器を駆動制御する為の制御部とを備え、前記昇圧装置が昇圧した直流電圧を前記制御部に与えるように構成してある制御装置において、
前記昇圧装置の出力電圧が電圧Ｖ５（Ｖ１＜Ｖ５＜Ｖ２）より低いか否かを判定する第３判定回路と、前記昇圧チョッパ回路をスイッチングするスイッチング回路とを備え、前記制御部は、前記第３判定回路が低いと判定し、前記判定回路が低いと判定したときに、電圧Ｖ３（＜Ｖ１）を電圧Ｖ４（Ｖ５＜Ｖ４＜Ｖ２）に昇圧する為の第１デューティ比により前記スイッチング回路をＰＷＭ制御し、該ＰＷＭ制御している状態で、前記判定回路が低くないと判定したときに、前記電圧Ｖ１を電圧Ｖ４に昇圧する為の第２デューティ比により前記スイッチング回路をＰＷＭ制御する手段と、前記自身に与えられるべき直流電圧を所定周期毎に検出する検出手段と、該検出手段が検出した電圧に応じたデューティ比により前記スイッチング回路をＰＷＭ制御する手段とを有することを特徴とする制御装置（但し、Ｖ３＜Ｖ１＜Ｖ５＜Ｖ４＜Ｖ２）。
【請求項６】
前記検出手段が検出した電圧が前記電圧Ｖ１より低い場合は、前記第１デューティ比により前記昇圧チョッパ回路をＰＷＭ制御し、前記電圧が電圧Ｖ４より低く電圧Ｖ１以上である場合は、前記電圧を電圧Ｖ２に昇圧する為のデューティ比を算出し、算出したデューティ比が前記第２デューティ比より小さいか否かを判定し、小さいと判定したときは、前記第２デューティ比により前記スイッチング回路をＰＷＭ制御し、小さくないと判定したときは、前記算出したデューティ比により前記スイッチング回路をＰＷＭ制御するように構成してある請求項５記載の制御装置。
【請求項７】
前記自身に与えられるべき直流電圧が前記電圧Ｖ４より高いか否かを判定する第２判定回路を更に備え、前記スイッチング回路をＰＷＭ制御している場合に、前記第２判定回路が高いと判定したときは、前記スイッチング回路のＰＷＭ制御を停止する手段を更に備える請求項５又は６記載の制御装置。
【請求項８】
作成した信号、又は外部から与えられた信号により、自身に与えられるべき前記直流電圧を遮断する遮断回路を更に備える請求項５乃至７の何れか１項に記載された制御装置。
【発明の詳細な説明】
【技術分野】
【０００１】
本発明は、昇圧チョッパ回路と、自身に与えられるべき直流電圧が所定電圧より低いか否かを判定する判定回路とを備え、判定回路が低いと判定したときに、直流電圧を目標電圧（＞所定電圧）に昇圧する為のデューティ比により昇圧チョッパ回路をＰＷＭ制御して直流電圧を昇圧する昇圧装置及び制御装置に関するものである。
【背景技術】
【０００２】
車両用電源装置では、エンジンを始動させる際、スタータが大電流を消費する為、また、電動パワーステアリング装置が操作される際、モータが大電流を消費する為、バッテリ電圧が一時的に低下する。バッテリ電圧が一時的に低下すると、ナビゲーション装置及びＥＣＵ（Electronic Control Unit）等の電気負荷の電源電圧が低下し、動作が不安定になる可能性がある。また、電源電圧が低下してリセットしては支障が有るスマートキーＥＣＵ及びプッシュスタートスイッチＥＣＵ等も有る。
その為、従来は、図６に示すような昇圧装置を、ナビゲーション装置及びＥＣＵ等の電気負荷に取付けている。
【０００３】
この昇圧装置は、バッテリ電圧が逆流防止用のショットキーダイオードＤ３及び出力端子Ｖｏｕｔを通じて、５Ｖレギュレータ５に与えられる電源線に並列に接続されている。出力端子Ｖｏｕｔには、アノードが接地されたツェナーダイオードＺＤ５のカソードが接続され、５Ｖレギュレータ５では、与えられた電圧を５Ｖに変換してナビゲーション装置及びＥＣＵ等の電気負荷に与える。
この昇圧装置は、バッテリ電圧が別のショットキーダイオードＤ１を通じて、コンデンサＣ１の一方の端子、リアクトルＬ１の一方の端子、抵抗Ｒ３、Ｒ５、Ｒ８の各一方の端子、及びスイッチングＩＣ６の電源端子Ｖｃｃに与えられる。
【０００４】
コンデンサＣ１の他方の端子は接地され、リアクトルＬ１の他方の端子は、スイッチングＩＣ６に内蔵されたＮＰＮ型トランジスタＴ５のコレクタ端子２０、及びショットキーダイオードＤ２のアノードに接続されている。ショットキーダイオードＤ２のカソードは、一方の端子が接地されたコンデンサＣ２の他方の端子、抵抗Ｒ１の一方の端子、及び出力端子Ｖｏｕｔに接続されている。抵抗Ｒ１の他方の端子には、抵抗Ｒ２の一方の端子が接続され、抵抗Ｒ２の他方の端子は接地され、抵抗Ｒ１、Ｒ２で分圧された電圧は、スイッチングＩＣ６のフィードバック端子ＦＢに与えられる。
【０００５】
抵抗Ｒ３の他方の端子には、抵抗Ｒ４の一方の端子が接続され、抵抗Ｒ４の他方の端子は接地され、抵抗Ｒ３、Ｒ４で分圧された電圧は、電圧検知ＩＣ７の電源端子ＶＤＤに与えられる。電源端子ＶＤＤには、アノードが接地されたツェナーダイオードＺＤ１のカソードが接続されている。電圧検知ＩＣ７の接地端子ＧＮＤは接地されている。
【０００６】
抵抗Ｒ５の他方の端子は、電圧検知ＩＣ７の出力端子ＯＵＴ、及び抵抗Ｒ６の一方の端子に接続され、抵抗Ｒ７の他方の端子は、ＮＰＮ型トランジスタＴ３のベースに接続されている。トランジスタＴ３のコレクタは、抵抗Ｒ８の他方の端子、及びスイッチングＩＣ６の信号入力端子ＳＳに接続され、エミッタは接地されている。トランジスタＴ３のコレクタ及びエミッタ間に、抵抗Ｒ７が接続されている。
【０００７】
スイッチングＩＣ６が内蔵するトランジスタＴ５のエミッタ端子ＰＧＮＤは接地されている。スイッチングＩＣ６の接地端子ＡＧＮＤは接地され、制御端子Ｖｃは、抵抗Ｒ９及びコンデンサＣ３を通じて接地されている。
コンデンサＣ１、リアクトルＬ１、トランジスタＴ５、ショットキーダイオードＤ２及びコンデンサＣ２は、昇圧チョッパ回路１９を構成している。
【０００８】
このような構成の昇圧装置では、電圧検知ＩＣ７が検知する電圧が、例えば５．１Ｖ以上である間は、スイッチングＩＣ６は作動せず、バッテリー電圧は、ショットキーダイオードＤ３及び５Ｖレギュレータ５経由で、負荷へ与えられる。バッテリ電圧が一時的に低下して、電圧検知ＩＣ７が、５．１Ｖより低い電圧を検出している間、スイッチングＩＣ６は、フィードバック端子ＦＢに与えられるフィードバック電圧が、目標出力電圧（例えば８Ｖ）になるようにデューティ比を調節しながらトランジスタＴ３をＰＷＭ（Pulse Width Modulation）制御する。
これにより、コンデンサＣ１、リアクトルＬ１、トランジスタＴ５、ショットキーダイオードＤ２及びコンデンサＣ２で構成される昇圧チョッパ回路が、５．１Ｖより低いバッテリ電圧を目標出力電圧に昇圧し、５Ｖレギュレータ５に与える。
【０００９】
特許文献１には、ＤＣ／ＤＣコンバータの昇圧電圧を、ディスクリート部品で組み上げた第１制御回路と、マイクロコンピュータからなる第２制御回路との双方で監視して、昇圧電圧を制御する昇圧回路が開示されている。昇圧電圧（バックアップコンデンサ充電電圧）が所定値に達したらいずれか一方の制御回路が作動して昇圧機能を制御する。
【先行技術文献】
【特許文献】
【００１０】
【特許文献１】特開平８−１２６３０５号公報
【発明の概要】
【発明が解決しようとする課題】
【００１１】
上述したような従来の昇圧装置では、スイッチングＩＣ６が故障した場合にそれをバックアップする手段がないという問題が有る。また、スイッチングＩＣ６が故障した場合に、ＥＣＵのマイクロコンピュータにその肩代わりをさせるにも、マイクロコンピュータのサンプル周期毎にしかデューティ比を更新できないので、昇圧した電圧を所定の範囲内に収めることが難しいという問題がある。
【００１２】
本発明は、上述したような事情に鑑みてなされたものであり、一時的に低下した電源電圧を昇圧する昇圧装置のスイッチングＩＣを、ＥＣＵのマイクロコンピュータに肩代わりさせて、昇圧した電圧を所定の範囲内に収めることができる昇圧装置を提供することを目的とする。
本発明は、また、一時的に低下した電源電圧を昇圧する昇圧装置のスイッチングＩＣが故障した場合でも、ＥＣＵのマイクロコンピュータにその肩代わりをさせて、昇圧した電圧を所定の範囲内に収めることができる制御装置を提供することを目的とする。
【課題を解決するための手段】
【００１３】
第１発明に係る昇圧装置は、昇圧チョッパ回路と、自身に与えられるべき直流電圧が電圧Ｖ１より低いか否かを判定する判定回路とを備え、該判定回路が低いと判定したときに、前記直流電圧を電圧Ｖ２（＞Ｖ１）に昇圧する為のデューティ比により前記昇圧チョッパ回路をＰＷＭ制御して前記直流電圧を昇圧するように構成してある昇圧装置において、前記判定回路が低いと判定したときに、電圧Ｖ３（＜Ｖ１）を電圧Ｖ４（＜Ｖ２）に昇圧する為の第１デューティ比により前記昇圧チョッパ回路をＰＷＭ制御し、該ＰＷＭ制御している状態で、前記判定回路が低くないと判定したときに、前記電圧Ｖ１を電圧Ｖ４に昇圧する為の第２デューティ比により前記昇圧チョッパ回路をＰＷＭ制御する手段と、前記自身に与えられるべき直流電圧を所定周期毎に検出する検出手段と、該検出手段が検出した電圧に応じたデューティ比により前記昇圧チョッパ回路をＰＷＭ制御する手段とを備えることを特徴とする（但し、Ｖ３＜Ｖ１＜Ｖ４＜Ｖ２）。
【００１４】
この昇圧装置では、判定回路が、自身に与えられるべき直流電圧が電圧Ｖ１より低いか否かを判定し、判定回路が低いと判定したときに、直流電圧を電圧Ｖ２（＞Ｖ１）に昇圧する為のデューティ比により昇圧チョッパ回路をＰＷＭ制御して、直流電圧を昇圧する。
ＰＷＭ制御する手段が、判定回路が低いと判定したときに、電圧Ｖ３（＜Ｖ１）を電圧Ｖ４（＜Ｖ２）に昇圧する為の第１デューティ比により昇圧チョッパ回路をＰＷＭ制御し、このＰＷＭ制御している状態で、判定回路が低くないと判定したときに、電圧Ｖ１を電圧Ｖ４に昇圧する為の第２デューティ比により昇圧チョッパ回路をＰＷＭ制御する。検出手段が、自身に与えられるべき直流電圧を所定周期毎に検出し、ＰＷＭ制御する手段が、検出手段が検出した電圧に応じたデューティ比により昇圧チョッパ回路をＰＷＭ制御する（但し、Ｖ３＜Ｖ１＜Ｖ４＜Ｖ２）。
【００１５】
第２発明に係る昇圧装置は、前記検出手段が検出した電圧が前記電圧Ｖ１より低い場合は、前記第１デューティ比により前記昇圧チョッパ回路をＰＷＭ制御し、前記電圧が電圧Ｖ４より低く電圧Ｖ１以上である場合は、前記電圧を電圧Ｖ２に昇圧する為のデューティ比を算出し、算出したデューティ比が前記第２デューティ比より小さいか否かを判定し、小さいと判定したときは、前記第２デューティ比により前記昇圧チョッパ回路をＰＷＭ制御し、小さくないと判定したときは、前記算出したデューティ比により前記昇圧チョッパ回路をＰＷＭ制御するように構成してあることを特徴とする。
【００１６】
この昇圧装置では、検出手段が検出した電圧が電圧Ｖ１より低い場合は、第１デューティ比により昇圧チョッパ回路をＰＷＭ制御する。検出手段が検出した電圧が電圧Ｖ４より低く電圧Ｖ１以上である場合は、検出手段が検出した電圧を電圧Ｖ２に昇圧する為のデューティ比を算出し、算出したデューティ比が第２デューティ比より小さいか否かを判定する。小さいと判定したときは、第２デューティ比により昇圧チョッパ回路をＰＷＭ制御し、小さくないと判定したときは、算出したデューティ比により昇圧チョッパ回路をＰＷＭ制御する。
【００１７】
第３発明に係る昇圧装置は、前記自身に与えられるべき直流電圧が前記電圧Ｖ４より高いか否かを判定する第２判定回路を更に備え、前記昇圧チョッパ回路をＰＷＭ制御している場合に、前記第２判定回路が高いと判定したときは、前記昇圧チョッパ回路のＰＷＭ制御を停止する手段を更に備えることを特徴とする。
【００１８】
この昇圧装置では、第２判定回路が、自身に与えられるべき直流電圧が電圧Ｖ４より高いか否かを判定する。昇圧チョッパ回路をＰＷＭ制御している場合に、第２判定回路が高いと判定したときは、停止する手段が、昇圧チョッパ回路のＰＷＭ制御を停止する。
【００１９】
第４発明に係る昇圧装置は、作成した信号、又は外部から与えられた信号により、自身に与えられるべき前記直流電圧を遮断する遮断回路を更に備えることを特徴とする。
【００２０】
この昇圧装置では、作成した信号、又は外部から与えられた信号により、遮断回路が、自身に与えられるべき直流電圧を遮断する。
【００２１】
第５発明に係る制御装置は、昇圧チョッパ回路、及び自身に与えられるべき直流電圧が電圧Ｖ１より低いか否かを判定する判定回路を有し、該判定回路が低いと判定したときに、前記直流電圧を電圧Ｖ２（＞Ｖ１）に昇圧する為のデューティ比により前記昇圧チョッパ回路をＰＷＭ制御して前記直流電圧を昇圧する昇圧装置と、外部機器を駆動制御する為の制御部とを備え、前記昇圧装置が昇圧した直流電圧を前記制御部に与えるように構成してある制御装置において、前記昇圧装置の出力電圧が電圧Ｖ５（Ｖ１＜Ｖ５＜Ｖ２）より低いか否かを判定する第３判定回路と、前記昇圧チョッパ回路をスイッチングするスイッチング回路とを備え、前記制御部は、前記第３判定回路が低いと判定し、前記判定回路が低いと判定したときに、電圧Ｖ３（＜Ｖ１）を電圧Ｖ４（Ｖ５＜Ｖ４＜Ｖ２）に昇圧する為の第１デューティ比により前記スイッチング回路をＰＷＭ制御し、該ＰＷＭ制御している状態で、前記判定回路が低くないと判定したときに、前記電圧Ｖ１を電圧Ｖ４に昇圧する為の第２デューティ比により前記スイッチング回路をＰＷＭ制御する手段と、前記自身に与えられるべき直流電圧を所定周期毎に検出する検出手段と、該検出手段が検出した電圧に応じたデューティ比により前記スイッチング回路をＰＷＭ制御する手段とを有することを特徴とする（但し、Ｖ３＜Ｖ１＜Ｖ５＜Ｖ４＜Ｖ２）。
【００２２】
この制御装置では、昇圧装置の判定回路が、自身に与えられるべき直流電圧が電圧Ｖ１より低いか否かを判定し、判定回路が低いと判定したときに、直流電圧を電圧Ｖ２（＞Ｖ１）に昇圧する為のデューティ比により、昇圧装置が、昇圧チョッパ回路をＰＷＭ制御して直流電圧を昇圧する。制御部が、外部機器を駆動制御し、昇圧装置が昇圧した直流電圧を制御部に与える。
第３判定回路が、昇圧装置の出力電圧が電圧Ｖ５（Ｖ１＜Ｖ５＜Ｖ２）より低いか否かを判定し、スイッチング回路が、昇圧チョッパ回路をスイッチングする。
【００２３】
第３判定回路が低いと判定し、判定回路が低いと判定したときに、制御部のＰＷＭ制御する手段が、電圧Ｖ３（＜Ｖ１）を電圧Ｖ４（Ｖ５＜Ｖ４＜Ｖ２）に昇圧する為の第１デューティ比によりスイッチング回路をＰＷＭ制御し、このＰＷＭ制御している状態で、判定回路が低くないと判定したときに、電圧Ｖ１を電圧Ｖ４に昇圧する為の第２デューティ比によりスイッチング回路をＰＷＭ制御する。
制御部の検出手段が、自身に与えられるべき直流電圧を所定周期毎に検出し、制御部のＰＷＭ制御する手段が、検出手段が検出した電圧に応じたデューティ比によりスイッチング回路をＰＷＭ制御する（但し、Ｖ３＜Ｖ１＜Ｖ５＜Ｖ４＜Ｖ２）。
【００２４】
第６発明に係る制御装置は、前記検出手段が検出した電圧が前記電圧Ｖ１より低い場合は、前記第１デューティ比により前記昇圧チョッパ回路をＰＷＭ制御し、前記電圧が電圧Ｖ４より低く電圧Ｖ１以上である場合は、前記電圧を電圧Ｖ２に昇圧する為のデューティ比を算出し、算出したデューティ比が前記第２デューティ比より小さいか否かを判定し、小さいと判定したときは、前記第２デューティ比により前記スイッチング回路をＰＷＭ制御し、小さくないと判定したときは、前記算出したデューティ比により前記スイッチング回路をＰＷＭ制御するように構成してあることを特徴とする。
【００２５】
この制御装置では、検出手段が検出した電圧が電圧Ｖ１より低い場合は、第１デューティ比により昇圧チョッパ回路をＰＷＭ制御し、検出手段が検出した電圧が電圧Ｖ４より低く電圧Ｖ１以上である場合は、検出手段が検出した電圧を電圧Ｖ２に昇圧する為のデューティ比を算出する。算出したデューティ比が第２デューティ比より小さいか否かを判定し、小さいと判定したときは、第２デューティ比によりスイッチング回路をＰＷＭ制御し、小さくないと判定したときは、算出したデューティ比によりスイッチング回路をＰＷＭ制御する。
【００２６】
第７発明に係る制御装置は、前記自身に与えられるべき直流電圧が前記電圧Ｖ４より高いか否かを判定する第２判定回路を更に備え、前記スイッチング回路をＰＷＭ制御している場合に、前記第２判定回路が高いと判定したときは、前記スイッチング回路のＰＷＭ制御を停止する手段を更に備えることを特徴とする。
【００２７】
この制御装置では、第２判定回路が、自身に与えられるべき直流電圧が電圧Ｖ４より高いか否かを判定する。スイッチング回路をＰＷＭ制御している場合に、第２判定回路が高いと判定したときは、停止する手段が、スイッチング回路のＰＷＭ制御を停止する。
【００２８】
第８発明に係る制御装置は、作成した信号、又は外部から与えられた信号により、自身に与えられるべき前記直流電圧を遮断する遮断回路を更に備えることを特徴とする。
【００２９】
この制御装置では、作成した信号、又は外部から与えられた信号により、遮断回路が、自身に与えられるべき直流電圧を遮断する。
【発明の効果】
【００３０】
本発明に係る昇圧装置によれば、一時的に低下した電源電圧を昇圧する昇圧装置のスイッチングＩＣを、ＥＣＵのマイクロコンピュータに肩代わりさせて、昇圧した電圧を所定の範囲内に収めることができる昇圧装置を実現することができる。
【００３１】
本発明に係る制御装置によれば、一時的に低下した電源電圧を昇圧する昇圧装置のスイッチングＩＣが故障した場合でも、ＥＣＵのマイクロコンピュータにその肩代わりをさせて、昇圧した電圧を所定の範囲内に収めることができる制御装置を実現することができる。
【図面の簡単な説明】
【００３２】
【図１】本発明に係る制御装置及び昇圧装置の実施の形態の概略構成を示すブロック図である。
【図２】本発明に係る制御装置の動作の例を示すフローチャートである。
【図３】本発明に係る制御装置の動作の例を示すフローチャートである。
【図４】本発明に係る制御装置の動作の例を示すタイミングチャートである。
【図５】本発明に係る昇圧装置の実施の形態の概略構成を示すブロック図である。
【図６】従来の昇圧装置の概略構成例を示すブロック図である。
【発明を実施するための形態】
【００３３】
以下に、本発明をその実施の形態を示す図面に基づき説明する。
（実施の形態１）
図１は、本発明に係る制御装置及び昇圧装置の実施の形態１の概略構成を示すブロック図である。
この制御装置は、マイクロコンピュータ（制御部、ＥＣＵ）９、スイッチングＩＣ６、電圧検知ＩＣ７，８，２５を備えている。
マイクロコンピュータ（以下、マイコンと記載）９は、図示しない外部機器を制御し、スイッチングＩＣ６は、リアクトルＬ１、ショットキーダイオードＤ２、コンデンサＣ２及びトランジスタＴ５とで構成する昇圧チョッパ回路１９をスイッチングする。マイコン９は、トランジスタＴ５以外の昇圧チョッパ回路１９をスイッチングＩＣ６と共用する。
【００３４】
電圧検知ＩＣ７，８（判定回路、第２判定回路）は、バッテリ電圧の各所定電圧（Ｖ１，Ｖ４）を検知したときに、マイコン９及びスイッチングＩＣ６に信号を与え、電圧検知ＩＣ（第３判定回路）２５は、昇圧チョッパ回路１９の出力電圧の所定値（Ｖ５）を検知したときに、マイコン９に信号を与える。
この制御装置は、バッテリ電圧が逆流防止用のショットキーダイオードＤ３及び出力端子Ｖｏｕｔを通じて、５Ｖレギュレータ５に与えられる電源線に並列に接続されている。出力端子Ｖｏｕｔには、アノードが接地されたツェナーダイオードＺＤ５のカソードが接続され、５Ｖレギュレータ５では、与えられた電圧を５Ｖに変換して、マイコン９の電源端子２６に与える。
【００３５】
この昇圧装置は、バッテリ電圧が別のショットキーダイオードＤ１を通じて、コンデンサＣ１の一方の端子、リアクトルＬ１の一方の端子、ツェナーダイオードＺＤ２のカソード、抵抗Ｒ１０の一方の端子、及びＰチャンネルＭＯＳ型ＦＥＴＴ１のソースに与えられる。
ＦＥＴＴ１のドレインは、抵抗Ｒ３、Ｒ５、Ｒ８の各一方の端子、及びスイッチングＩＣ６の電源端子Ｖｃｃに接続されている。
【００３６】
コンデンサＣ１の他方の端子は接地され、リアクトルＬ１の他方の端子は、スイッチングＩＣ６に内蔵されたＮＰＮ型トランジスタＴ５のコレクタ端子２０、ショットキーダイオードＤ２のアノード、及びＮチャンネルＭＯＳ型ＦＥＴＴ７のドレインに接続されている。ＦＥＴＴ７のソースは接地され、ゲートは駆動回路１０に接続されている。駆動回路１０は、マイコン９のＰＷＭ端子１２に接続され、ＰＷＭ制御される。
【００３７】
ショットキーダイオードＤ２のカソードは、一方の端子が接地されたコンデンサＣ２の他方の端子、抵抗Ｒ１の一方の端子、及び出力端子Ｖｏｕｔ、ツェナーダイオードＺＤ３のカソード、抵抗Ｒ１１の一方の端子、及びＰチャンネルＭＯＳ型ＦＥＴＴ２のソースに接続されている。ＦＥＴＴ２のドレインには、抵抗Ｒ１の一方の端子が接続され、抵抗Ｒ１の他方の端子には、抵抗Ｒ２の一方の端子が接続され、抵抗Ｒ２の他方の端子は接地され、抵抗Ｒ１、Ｒ２で分圧された電圧は、スイッチングＩＣ６のフィードバック端子ＦＢに与えられる。
【００３８】
抵抗Ｒ３の他方の端子には、抵抗Ｒ４の一方の端子が接続され、抵抗Ｒ４の他方の端子は接地され、抵抗Ｒ３、Ｒ４で分圧された電圧は、電圧検知ＩＣ７の電源端子ＶＤＤに与えられる。電源端子ＶＤＤには、アノードが接地されたツェナーダイオードＺＤ１のカソードが接続されている。電圧検知ＩＣ７の接地端子ＧＮＤは接地されている。
【００３９】
抵抗Ｒ５の他方の端子は、電圧検知ＩＣ７の出力端子ＯＵＴ、及び抵抗Ｒ６の一方の端子に接続され、抵抗Ｒ６の他方の端子は、ＮＰＮ型トランジスタＴ３のベースに接続されている。トランジスタＴ３のコレクタは、抵抗Ｒ８の他方の端子、スイッチングＩＣ６の信号入力端子ＳＳ、及びマイコン９の第１割込端子１４に接続され、トランジスタＴ３のエミッタは接地されている。トランジスタＴ３のベース及びエミッタ間に抵抗Ｒ７が接続されている。
【００４０】
スイッチングＩＣ６が内蔵するトランジスタＴ５のエミッタ端子ＰＧＮＤは接地されている。スイッチングＩＣ６の接地端子ＡＧＮＤは接地され、制御端子Ｖｃは、抵抗Ｒ９及びコンデンサＣ３を通じて接地されている。
コンデンサＣ１、リアクトルＬ１、トランジスタＴ５（又はＦＥＴＴ７）、ショットキーダイオードＤ２及びコンデンサＣ２は、昇圧チョッパ回路１９を構成している。
【００４１】
ＦＥＴＴ１のドレインは、また、抵抗Ｒ１８、Ｒ１４、Ｒ２０の各一方の端子に接続されている。抵抗Ｒ１８の他方の端子は、抵抗Ｒ１９の一方の端子に接続され、抵抗Ｒ１９の他方の端子は接地されている。抵抗Ｒ１８，Ｒ１９は分圧回路を構成し、その分圧はマイコン９の入力電圧端子１３に与えられる。
抵抗Ｒ２０の他方の端子には、抵抗Ｒ２１の一方の端子が接続され、抵抗Ｒ２１の他方の端子は接地され、抵抗Ｒ２０、Ｒ２１で分圧された電圧は、電圧検知ＩＣ８の電源端子ＶＤＤに与えられる。電源端子ＶＤＤには、アノードが接地されたツェナーダイオードＺＤ４のカソードが接続されている。電圧検知ＩＣ８の接地端子ＧＮＤは接地されている。
【００４２】
抵抗Ｒ１４の他方の端子は、電圧検知ＩＣ８の出力端子ＯＵＴ、及び抵抗Ｒ１５の一方の端子に接続され、抵抗Ｒ１５の他方の端子は、ＮＰＮ型トランジスタＴ６のベースに接続されている。トランジスタＴ６のコレクタは、抵抗Ｒ１７を通じて抵抗Ｒ８の一方の端子に接続され、また、マイコン９の第２割込端子１５に接続され、トランジスタＴ６のエミッタは接地されている。トランジスタＴ６のベース及びエミッタ間に抵抗Ｒ１８が接続されている。
【００４３】
ＦＥＴＴ２のドレインには、また、抵抗Ｒ３２，Ｒ２４，Ｒ３０の各一方の端子が接続され、抵抗Ｒ３２の他方の端子は、マイコン９の第３割込端子２４に接続されている。
抵抗Ｒ３０の他方の端子には、抵抗Ｒ３１の一方の端子が接続され、抵抗Ｒ３１の他方の端子は接地され、抵抗Ｒ３０、Ｒ３１で分圧された電圧は、電圧検知ＩＣ２５の電源端子ＶＤＤに与えられる。電源端子ＶＤＤには、アノードが接地されたツェナーダイオードＺＤ６のカソードが接続されている。電圧検知ＩＣ２５の接地端子ＧＮＤは接地されている。
【００４４】
抵抗Ｒ２４の他方の端子は、電圧検知ＩＣ２５の出力端子ＯＵＴ、及び抵抗Ｒ２５の一方の端子に接続され、抵抗Ｒ２５の他方の端子は、ＮＰＮ型トランジスタＴ８のベースに接続されている。トランジスタＴ８のコレクタは、マイコン９の第３割込端子２４に接続されている。トランジスタＴ８のエミッタは接地され、ベース及びエミッタ間に抵抗Ｒ２６が接続されている。
【００４５】
ツェナーダイオードＺＤ２のアノード、抵抗Ｒ１０の他方の端子、ＦＥＴＴ１のゲート、ツェナーダイオードＺＤ３のアノード、抵抗Ｒ１１の他方の端子、及びＦＥＴＴ２のゲートは、ＮＰＮ型トランジスタＴ４のコレクタに接続されている。トランジスタＴ４のエミッタは接地され、ベース及びエミッタ間に抵抗Ｒ１３が接続されている。
トランジスタＴ４のベースは、抵抗Ｒ１２を通じてダイオードＤ４のカソードに接続され、ダイオードＤ４のアノードには、図示しないイグニッションスイッチのオン信号、及びマイコン９の信号出力端子１６からの暗電流カット出力信号が与えられる。
【００４６】
以下に、このような構成の制御装置の動作の例を、それを示す図２，３のフローチャートを参照しながら説明する。
ダイオード４のアノードに、イグニッションスイッチのオン信号が与えられない場合、又は信号出力端子１６からの暗電流カット出力信号（接地信号）が与えられている場合、トランジスタＴ４はオフである。この場合、ツェナーダイオードＺＤ２，ＺＤ３は電圧が立たず、トランジスタＴ１，Ｔ２はオフであり、スイッチングＩＣ６、電圧検知ＩＣ７，８，２５及びマイコン９への電力は遮断され、暗電流は流れない。
【００４７】
ダイオード４のアノードに、イグニッションスイッチのオン信号が与えられ、信号出力端子１６からの暗電流カット出力信号（接地信号）が与えられていない場合、トランジスタＴ４はオンである。この場合、ツェナーダイオードＺＤ２，ＺＤ３は電圧が立ち、トランジスタＴ１，Ｔ２はオンであり、スイッチングＩＣ６、電圧検知ＩＣ７，８，２５及びマイコン９へ電力が供給される。
【００４８】
電圧検知ＩＣ７が検知するバッテリ電圧が、例えば５．１Ｖ（Ｖ１）以上である間は、スイッチングＩＣ６は作動せず、バッテリ電圧は、ショットキーダイオードＤ３及び５Ｖレギュレータ５経由で、マイコン９の電源端子２６へ与えられる。
電圧検知ＩＣ７が、５．１Ｖより低いバッテリ電圧を検出している間は、スイッチングＩＣ６は、フィードバック端子ＦＢに与えられるフィードバック電圧が、目標出力電圧（例えば８Ｖ（Ｖ２））になるようにデューティ比を調節しながらトランジスタＴ５をＰＷＭ（Pulse Width Modulation）制御する。
これにより、昇圧チョッパ回路１９が、５．１Ｖより低いバッテリ電圧を目標出力電圧に昇圧して、５Ｖレギュレータ５に与え、５Ｖレギュレータ５は、与えられた電圧を５Ｖに変換して、マイコン９の電源端子２６へ与える。
【００４９】
マイコン９は、サンプル周期Ｔの計時を開始した（Ｓ１）後、第３割込端子２４への入力信号がオンからオフに反転したか否かを判定する（Ｓ３）。第３割込端子２４への入力信号は、電圧検知ＩＣ２５が、例えば７．０Ｖ（Ｖ５）より低い昇圧チョッパ回路１９の出力電圧を検知したときに、オンからオフに反転する。
マイコン９は、第３割込端子２４への入力信号がオンからオフに反転していれば（Ｓ３）、第２割込端子１５への入力信号がオンからオフに反転したか否かを判定する（Ｓ５）。第２割込端子１５への入力信号は、電圧検知ＩＣ８が、例えば７．５Ｖ（Ｖ４）以上に上昇したバッテリ電圧を検知したときに、オンからオフに反転する。
【００５０】
マイコン９は、第２割込端子１５への入力信号がオンからオフに反転していなければ（Ｓ５）、第１割込端子１４への入力信号がオンからオフに反転したか否かを判定する（Ｓ７）。第１割込端子１４への入力信号は、電圧検知ＩＣ７が、例えば５．１Ｖ（Ｖ１）以上に上昇したバッテリ電圧を検知したときに、オンからオフに反転する。
マイコン９は、第１割込端子１４への入力信号がオンからオフに反転していなければ（Ｓ７）、第１割込端子１４への入力信号がオフからオンに反転したか否かを判定する（Ｓ９）。第１割込端子１４への入力信号は、電圧検知ＩＣ７が、例えば５．１Ｖ（Ｖ１）より低下したバッテリ電圧を検知したときに、オンからオフに反転する。
【００５１】
マイコン９は、第１割込端子１４への入力信号がオフからオンに反転していなければ（Ｓ９）、サンプル周期Ｔを計時したか否かを判定する（Ｓ１１）。
マイコン９は、サンプル周期Ｔを計時していなければ（Ｓ１１）、第２割込端子１５への入力信号がオンからオフに反転したか否かを判定する（Ｓ５）。
マイコン９は、第３割込端子２４への入力信号がオンからオフに反転していなければ（Ｓ３）、サンプル周期Ｔを計時したか否かを判定する（Ｓ１１）。
【００５２】
マイコン９は、第２割込端子１５への入力信号がオンからオフに反転していれば（Ｓ５）、デューティ比を０にし（Ｓ１９）、ＦＥＴＴ７のＰＷＭ制御を停止した後、サンプル周期Ｔを計時したか否かを判定する（Ｓ１１）。
マイコン９は、第１割込端子１４への入力信号がオンからオフに反転していれば（Ｓ７）、デューティ比をＤｕｔｙ１に設定し（Ｓ２１）、Ｄｕｔｙ１でＦＥＴＴ７をＰＷＭ制御するようにした後、サンプル周期Ｔを計時したか否かを判定する（Ｓ１１）。
【００５３】
マイコン９は、第１割込端子１４への入力信号がオフからオンに反転していれば（Ｓ９）、デューティ比をＤｕｔｙ２に設定し（Ｓ１７）、Ｄｕｔｙ２でＦＥＴＴ７をＰＷＭ制御するようにした後、サンプル周期Ｔを計時したか否かを判定する（Ｓ１１）。
【００５４】
マイコン９は、サンプル周期Ｔを計時していれば（Ｓ１１）、サンプル周期Ｔの計時をリセットした（Ｓ１３）後、入力電圧端子１３に与えられた入力電圧を読込み（Ｓ１５）、読込んだ電圧が５．１Ｖより低いか否かを判定する（Ｓ２３）。マイコン９は、読込んだ電圧が５．１Ｖより低くなければ（Ｓ２３）、読込んだ電圧が７．５Ｖ（Ｖ４）より低いか否かを判定する（Ｓ２５）。
マイコン９は、読込んだ電圧が７．５Ｖより低ければ（Ｓ２５）、デューティ比をＤｕｔｙ＝１−入力電圧／目標出力電圧（例えば８Ｖ）により算出し（Ｓ２７）、算出したＤｕｔｙがＤｕｔｙ１より小さいか否かを判定する（Ｓ２９）。
【００５５】
マイコン９は、算出したＤｕｔｙがＤｕｔｙ１より小さければ（Ｓ２９）、デューティ比をＤｕｔｙ１に設定し、Ｄｕｔｙ１でＦＥＴＴ７をＰＷＭ制御するようにした（Ｓ３１）後、サンプル周期Ｔの計時を開始する（Ｓ１）。
マイコン９は、読込んだ電圧が５．１Ｖより低ければ（Ｓ２３）、デューティ比をＤｕｔｙ２に設定し、Ｄｕｔｙ２でＦＥＴＴ７をＰＷＭ制御するようにした（Ｓ３３）後、サンプル周期Ｔの計時を開始する（Ｓ１）。
【００５６】
マイコン９は、読込んだ電圧が７．５Ｖより低くなければ（Ｓ２５）、デューティ比を０に設定し、ＦＥＴＴ７のＰＷＭ制御を停止した（Ｓ３５）後、サンプル周期Ｔの計時を開始する（Ｓ１）。
マイコン９は、算出したＤｕｔｙがＤｕｔｙ１より小さくなければ（Ｓ２９）、デューティ比を算出したＤｕｔｙに維持して設定し、算出したＤｕｔｙでＦＥＴＴ７をＰＷＭ制御するようにした（Ｓ３７）後、サンプル周期Ｔの計時を開始する（Ｓ１）。
【００５７】
尚、Ｄｕｔｙ１は、例えば、５．１Ｖ（Ｖ１）のバッテリ電圧を、昇圧チョッパ回路１９の最低出力電圧７．０Ｖ（Ｖ５）に上昇させる為のデューティ比であり、
Ｄｕｔｙ１＝１−５．１／７．０＝０．２７
により算出される。
Ｄｕｔｙ２は、例えば、昇圧チョッパ回路１９の動作を保証する最低入力電圧３．０Ｖ（Ｖ３）のバッテリ電圧を７．０Ｖ（Ｖ５）に上昇させる為のデューティ比であり、
Ｄｕｔｙ２＝１−３．０／７．０＝０．５７
により算出される。
【００５８】
５．１Ｖ（Ｖ１）のバッテリ電圧は、最大デューティ比であるＤｕｔｙ２で昇圧した場合に、昇圧チョッパ回路１９の最大出力電圧（例えば１２Ｖ）を超えない最大電圧として求められ、
１２×（１−Ｄｕｔｙ２）＝１２×（１−０．５７）＝５．１
により算出される。
【００５９】
Ｄｕｔｙ１で昇圧した場合に、昇圧チョッパ回路１９の最大出力電圧（例えば１２Ｖ）を超えない最大電圧は、
１２×（１−Ｄｕｔｙ１）＝１２×（１−０．２７）＝８．７
により８．７Ｖである。
電圧７．５Ｖ（Ｖ４）は、昇圧チョッパ回路１９が昇圧を停止するか否かの閾値であり、上述した最大電圧８．７Ｖより低く、昇圧チョッパ回路１９の最低出力電圧７．０Ｖ（Ｖ５）より高いという条件で定めてある。
【００６０】
以上の図２，３のフローチャートに示す動作により、マイコン９は、入力電圧（バッテリ電圧）が３．０〜５．１Ｖの範囲では、Ｄｕｔｙ２で昇圧し、入力電圧（バッテリ電圧）が５．１〜７．５Ｖの範囲では、Ｄｕｔｙ１で昇圧する。
例えば、入力電圧（バッテリ電圧）が、図４のタイミングチャートの点線に示すように変化した場合、昇圧チョッパ回路１９の出力電圧は、太い実線で示すように変化する。
入力電圧（バッテリ電圧）が３Ｖ近く迄、瞬時に低下しても、出力電圧は、コンデンサＣ１，Ｃ２の放電電圧により、漸次低下して行き、時点ｔ１（サンプル周期Ｔの開始時点とする）においても電圧低下は検知されない。
【００６１】
出力電圧が、漸次低下して行き、時点ｔ２において、電圧検知ＩＣ２５が、７．０Ｖ（Ｖ５）より低い出力電圧を検知したとき（スイッチングＩＣ６故障）、第３割込端子２４への入力信号がオンからオフに反転する（Ｓ３）。マイコン９は、第３割込端子２４への入力信号がオンからオフに反転したとき（Ｓ３）、第１割込端子１４への入力信号もオフからオンに反転しており（Ｓ９）、デューティ比をＤｕｔｙ２に設定し、Ｄｕｔｙ２でＦＥＴＴ７をＰＷＭ制御する（Ｓ１７）。これにより、出力電圧は、時点ｔ２から上昇し始める。
【００６２】
時点ｔ１からサンプル周期Ｔが経過した時点ｔ３で、マイコン９は、入力電圧端子１３に与えられた入力電圧を読込む（Ｓ１５）。ここでは、読込んだ電圧は５．１Ｖより低い（Ｓ２３）ので、引き続き、デューティ比をＤｕｔｙ２に設定し、Ｄｕｔｙ２でＦＥＴＴ７をＰＷＭ制御する（Ｓ３３）。これにより、出力電圧は、時点ｔ３でも上昇し続ける。
【００６３】
この状態で、例えば、入力電圧（バッテリ電圧）が上昇し、時点ｔ４で５．１Ｖ（Ｖ１）以上になると、第１割込端子１４への入力信号がオンからオフに反転する（Ｓ７）。これにより、マイコン９は、デューティ比をＤｕｔｙ１に設定し、Ｄｕｔｙ１でＦＥＴＴ７をＰＷＭ制御する（Ｓ２１）。デューティ比がＤｕｔｙ２からＤｕｔｙ１に変わることにより、出力電圧は８Ｖ以上から急落するが、７．０Ｖを下回ることはなく、速やかに回復して行く。
【００６４】
引続き、例えば、入力電圧（バッテリ電圧）が上昇し、時点ｔ３からサンプル周期Ｔが経過した時点ｔ５で、マイコン９は、入力電圧端子１３に与えられた入力電圧を読込む（Ｓ１５）。ここでは、読込んだ電圧は５．１Ｖ以上であり（Ｓ２３）、７．０Ｖより低い（Ｓ２５）ので、マイコン９は、デューティ比を算出する（Ｓ２７）。
マイコン９は、算出したデューティ比がＤｕｔｙ１より小さければ（Ｓ２９）、Ｄｕｔｙ１に設定し（Ｓ３１）、算出したデューティ比がＤｕｔｙ１以上であれば（Ｓ２９）、算出したデューティ比に（維持）設定し（Ｓ３７）、設定したデューティ比でＦＥＴＴ７をＰＷＭ制御する。これにより、出力電圧は、８Ｖ以上を保つ。
【００６５】
例えば、入力電圧（バッテリ電圧）が以上を維持し、時点ｔ５からサンプル周期Ｔが経過した時点ｔ６で、マイコン９は、入力電圧端子１３に与えられた入力電圧を読込む（Ｓ１５）。ここでは、読込んだ電圧は５．１Ｖ以上であり（Ｓ２３）、７．５Ｖより低い（Ｓ２５）ので、マイコン９は、時点ｔ５の場合と同様に作動する。
【００６６】
この状態で、例えば、入力電圧（バッテリ電圧）が降下し、時点ｔ７で５．１Ｖ（Ｖ１）より低くなると、第１割込端子１４への入力信号がオフからオンに反転する（Ｓ９）。これにより、マイコン９は、デューティ比をＤｕｔｙ２に設定し、Ｄｕｔｙ２でＦＥＴＴ７をＰＷＭ制御する（Ｓ１７）。デューティ比がＤｕｔｙ１からＤｕｔｙ２に変わることにより、出力電圧は７．５Ｖ付近から８．０Ｖ以上に急上昇するが、１２．０Ｖを上回ることはなく、速やかに回復して行く。
【００６７】
引続き、例えば、入力電圧（バッテリ電圧）が降下し、時点ｔ６からサンプル周期Ｔが経過した時点ｔ８で、マイコン９は、入力電圧端子１３に与えられた入力電圧を読込む（Ｓ１５）。ここでは、読込んだ電圧は５．１Ｖより低い（Ｓ２３）ので、マイコン９は、デューティ比をＤｕｔｙ２に設定し、設定したデューティ比でＦＥＴＴ７をＰＷＭ制御する（Ｓ３３）。これにより、出力電圧は上昇し始めるが、例えば、入力電圧（バッテリ電圧）が３．０〜５．１Ｖの範囲で上下すると、それ合わせて出力電圧も上下する。
【００６８】
時点ｔ８からサンプル周期Ｔが経過した時点ｔ９で、マイコン９は、入力電圧端子１３に与えられた入力電圧を読込む（Ｓ１５）。ここでは、読込んだ電圧は５．１Ｖより低い（Ｓ２３）ので、マイコン９は、時点ｔ８と同様に、引続き、デューティ比をＤｕｔｙ２に設定し、設定したデューティ比でＦＥＴＴ７をＰＷＭ制御する（Ｓ３３）。
【００６９】
この状態で、例えば、入力電圧（バッテリ電圧）が急上昇し、時点ｔ１０で７．５Ｖ（Ｖ４）以上に復帰すると、第２割込端子１５への入力信号がオンからオフに反転する（Ｓ５）。これにより、マイコン９は、デューティ比を０に設定し、ＦＥＴＴ７のＰＷＭ制御を停止する（Ｓ１９）。これにより、出力電圧は、入力電圧より僅かに低く維持される。
【００７０】
（実施の形態２）
図５は、本発明に係る昇圧装置の実施の形態２の概略構成を示すブロック図である。
この昇圧装置は、図１に示す本発明に係る制御装置及び昇圧装置の実施の形態１の構成から、スイッチングＩＣ６、電圧検知ＩＣ２５、及びこれらにのみ関連する回路部分を除去し、マイクロコンピュータ（制御部、ＥＣＵ）９、電圧検知ＩＣ７，８を備えた構成となっている。
【００７１】
マイクロコンピュータ（以下、マイコンと記載）９は、図示しない外部機器を制御し、リアクトルＬ１、ショットキーダイオードＤ２、コンデンサＣ２及びトランジスタＴ７とで構成する昇圧チョッパ回路をスイッチングする。
この昇圧装置のその他の構成は、実施の形態１において説明した制御装置及び昇圧装置の構成（図１）から、スイッチングＩＣ６及び電圧検知ＩＣ２５を除去した構成と同様であるので、同一部分には同一符号を付して説明を省略する。
【００７２】
このような構成の昇圧装置の動作は、実施の形態１において説明した制御装置の動作（図２，３，４）から、スイッチングＩＣ６及び電圧検知ＩＣ２５の動作を除いた動作と同様であるので、説明を省略する。
本実施の形態２の昇圧装置によれば、機器のＥＣＵに使用されるマイクロコンピュータを利用して、ディスクリート部品であるスイッチングＩＣを備えることなく、低下した電源電圧を昇圧する昇圧装置を実現することができる。
【符号の説明】
【００７３】
５  ５Ｖレギュレータ
６  スイッチングＩＣ
７，８  電圧検知ＩＣ（判定回路、第２判定回路）
９  マイクロコンピュータ（制御部、ＥＣＵ）
１０  駆動回路
１２  ＰＷＭ端子
１３  入力電圧端子
１４  第１割込端子
１５  第２割込端子
１９  昇圧チョッパ回路
２４  第３割込端子
２５  電圧検知ＩＣ（第３判定回路）
Ｃ１，Ｃ２  コンデンサ
Ｄ１〜Ｄ３  ショットキーダイオード
Ｄ４  ダイオード
ＦＢ  フィードバック端子
Ｌ１  リアクトル
Ｔ１，Ｔ２，Ｔ７  ＦＥＴ
Ｔ３〜Ｔ６，Ｔ８  トランジスタ
ＺＤ１〜ＺＤ６  ツェナーダイオード
【図１】
2012090377.tif 000003
【図２】
2012090377.tif 000004
【図３】
2012090377.tif 000005
【図４】
2012090377.tif 000006
【図５】
2012090377.tif 000007
【図６】
2012090377.tif 000008